(57)【要約】【課題】ディスクの二重挿入を防止するための専用機構を不要とし、装置の薄型化を実現したディスク装置を提供すること。【解決手段】揺動自在なローラ支持板２７に支持されたローディングローラ２５を本体１の挿入口２３に配置し、この挿入口２３からドライブユニット９に向けてディスクが引き込まれた場合、この引き込み動作に連動してローラ支持板２７を揺動させて、ローディングローラ２５をドライブユニット９から離間させる構成を備えると共に、当該ローラ支持板２７の揺動動作に連動して、挿入口２３を閉鎖するシャッタプレート８０を備える。【選択図】図７
2008226321.tif 000002
【特許請求の範囲】
【請求項１】
揺動自在なローラ支持板に支持されたローディングローラを本体の挿入口に配置し、この挿入口からドライブユニットに向けてディスクが引き込まれた場合、この引き込み動作に連動して前記ローラ支持板を揺動させて、前記ローディングローラを前記ドライブユニットから離間させる構成を備えると共に、当該ローラ支持板の揺動動作に連動して、前記挿入口を閉鎖するシャッタプレートを備えることを特徴とするディスク装置。
【請求項２】
前記シャッタプレートは、前記本体の前面に支持部材を介して回動自在に設けられるとともに、前記ローラ支持板が揺動した場合に、このローラ支持板の一部と係合して当該シャッタプレートを前記挿入口を閉鎖する方向に回動させる係合片を備えることを特徴とする請求項１に記載のディスク装置。
【請求項３】
前記シャッタプレートは、前記支持部材を介して上下方向にスライド可能な長孔を備えることを特徴とする請求項２に記載のディスク装置。
【請求項４】
前記シャッタプレートは、前記挿入口の略中央部を閉鎖することを特徴とする請求項１乃至３のいずれかに記載のディスク装置。
【請求項５】
前記シャッタプレートは、前記ローラ支持板の前端部に連結され、このローラ支持板が揺動した場合、前記シャッタプレートを前記挿入口を閉鎖する方向にスライドさせることを特徴とする請求項１に記載のディスク装置。
【発明の詳細な説明】
【技術分野】
【０００１】
本発明は、車両に搭載されてＣＤ（コンパクトディスク）、ＤＶＤ（デジタル・バーサタイル・ディスク）等の記録媒体ディスクの情報を再生するディスク装置に関する。
【背景技術】
【０００２】
一般に、車両に搭載されるＣＤ、ＤＶＤプレーヤ等の従来のディスク装置では、ディスクを挿入口から吸い込んで、本体内に引き込まれた当該ディスクをターンテーブルにクランプして再生している（例えば、特許文献１参照）。
この種のものでは、挿入口を通じて複数枚のディスクが本体内に引き込まれることを防止するために、挿入口に二重挿入防止機構を設けるものが提案されている（例えば、特許文献２参照）。
【特許文献１】ＷＯ／２００１／０９１１１９号
【特許文献２】実開平０２−４２２４０号公報
【発明の開示】
【発明が解決しようとする課題】
【０００３】
しかし、従来の構成では、二重挿入防止機構は、ディスクを本体内に引き込む機構や再生する機構とは別個に挿入口に設けられるため、これにより装置が大型化し、特に装置の厚さ方向の寸法が大きくなるといった問題があった。
【０００４】
そこで、本発明の目的は、上述した従来の技術が有する課題を解消し、ディスクの二重挿入を防止するための専用機構を不要とし、これにより装置の薄型化を実現したディスク装置を提供することにある。
【課題を解決するための手段】
【０００５】
本発明は、揺動自在なローラ支持板に支持されたローディングローラを本体の挿入口に配置し、この挿入口からドライブユニットに向けてディスクが引き込まれた場合、この引き込み動作に連動して前記ローラ支持板を揺動させて、前記ローディングローラを前記ドライブユニットから離間させる構成を備えると共に、当該ローラ支持板の揺動動作に連動して、前記挿入口を閉鎖するシャッタプレートを備えることを特徴とする。
【０００６】
本構成によれば、ローラ支持板の揺動動作に連動して、挿入口を閉鎖するシャッタプレートを備えるため、ローラ支持板を揺動させることによって、ローディングローラをドライブユニットから離間させる動作と、シャッタプレートを挿入口を閉鎖させてディスクの二重挿入を防止する動作とを、同時に実行することができる。このため、ディスクの二重挿入を防止するための専用機構が不要となり、従来のものに比べて、その分だけ装置が小型化し、この装置の薄型化を図ることができる。
【０００７】
この場合において、前記シャッタプレートは、前記本体の前面に支持部材を介して回動自在に設けられるとともに、前記ローラ支持板が揺動した場合に、このローラ支持板の一部と係合して当該シャッタプレートを前記挿入口を閉鎖する方向に回動させる係合片を備える構成としても良い。
また、前記シャッタプレートは、前記支持部材を介して上下方向にスライド可能な長孔を備える構成としても良い。また、前記シャッタプレートは、前記挿入口の略中央部を閉鎖する構成としても良い。
【０００８】
また、前記シャッタプレートは、前記ローラ支持板の前端部に連結され、このローラ支持板が揺動した場合、前記シャッタプレートを前記挿入口を閉鎖する方向にスライドさせる構成としても良い。
【発明の効果】
【０００９】
本発明では、ローラ支持板の揺動動作に連動して、挿入口を閉鎖するシャッタプレートを備えるため、ローラ支持板を揺動させることによって、ローディングローラをドライブユニットから離間させる動作と、シャッタプレートを挿入口を閉鎖させてディスクの二重挿入を防止する動作とを、同時に実行することができる。このため、ディスクの二重挿入を防止するための専用機構が不要となり、従来のものに比べて、その分だけ装置が小型化し、この装置の薄型化を図ることができる。
【発明を実施するための最良の形態】
【００１０】
以下、本発明の一実施の形態を、図面に基づき説明する。
図１は、本実施の形態に係るディスクプレーヤ（ディスク装置）の外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。符号１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、ローディングされたディスクをクランプするためのクランプメカニズム、クランプされたディスクをドライブするためのドライブメカニズム等が設けられている。
【００１１】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。
【００１２】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランプメカやドライブメカが一体化されたクランプ機構としてのドライブユニット９が載置されて、フローティング支持されている。
このドライブユニット９は、図４及び図５に示すように、ベースプレート１３と、このベースプレート１３の後端部の両側にヒンジ１５で連結され、先端１７Ａを閉じる方向にばね付勢されて、ベースプレート１３と協働してディスクを挟持するクランププレート１７とを備えている。このクランププレート１７の先端１７Ａには回転板１９が支持され、この回転板１９に対向するマグネット入りのターンテーブル２１が、ベースプレート１３に支持されている。そして、後述するように、ディスクが挿入されて、クランププレート１７が閉じると、先端１７Ａの回転板１９とマグネット入りのターンテーブル２１とで挟持（クランプ）されてディスクが回転可能になる。
【００１３】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、ディスクが検知されると、モータ２４により駆動されて、当該ディスクを本体１内に引き込む。このローディングローラ２５は、ローラ支持板２７に支持されている。
ローラ支持板２７は、その両端を上方に屈曲させて形成した屈曲部２７Ａを備え、この屈曲部２７Ａの後端側にローディングローラ２５の駆動軸２５Ａを回転自在に支持する軸受部２９が形成されている。また、屈曲部２７Ａの前端側にはヒンジピン２８が設けられ、ローラ支持板２７は、このヒンジピン２８を介して、ロアーシャーシ５の側板に揺動自在に連結されている。従って、このローディングローラ２５は、ローラ支持板２７の揺動により、その高さ位置を変位させて、ドライブユニット９のディスクに離接可能に構成されている。また、ローラ支持板２７は、図示を省略したばねにより、このローラ支持板２７の前端を下げて、ローディングローラ２５を持ち上げる方向に付勢されている。
また、ローラ支持板２７の前端部には、このローラ支持板２７の一部を上方に立ち上げた後、水平に屈曲して形成された２つの爪部９１、９２が各々一体に形成されている。これら爪部９１、９２は、ディスクがドライブユニット９に引き込まれてクランプされた場合に、ローラ支持板２７の揺動により挿入口２３内に延在する。本構成では、一方の爪部９１は、後述するシャッタプレート８０を動作させる機能を有する。
【００１４】
ドライブユニット９の上面の左後部には支持ピン３０を介してトリガープレート３１が揺動自在に支持されている。このトリガープレート３１は、本体１内に引き込まれたディスクと当接し、このディスクをドライブユニット９にクランプさせるものである。このトリガープレート３１は、ばね３１Ｓにより、時計方向に付勢されており、その一端３１Ａ側には、ドライブユニット９の内方に折り曲げられた２つの爪部３２，３３が各々一体に形成されている。一方の爪部（小径トリガー部）３２は、引き込まれた８ｃｍディスクが当接可能であり、他方の爪部（大径トリガー部）３３には、引き込まれた１２ｃｍディスクが当接可能である。
トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００１５】
このトリガー３５の一部は、図４に示すように、ロアーシャーシ５の底部を前方に延出し、この延出部の上面にはトリガーラックギア３５Ａが一体に形成されている。このトリガーラックギア３５Ａの前方には、ロアーシャーシ５の側板５Ａに支持されたファイナルギア３７（図３参照）が配置されている。このファイナルギア３７は、通常時にトリガーラックギア３５Ａに噛み合わない位置に支持されており、トリガープレート３１が反時計方向に回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００１６】
このトリガー３５には、図４に示すように、トリガーカム４１が一体に連結されている。このトリガーカム４１は、ギア輪列３８の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のクランププレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００１７】
上記トリガーカム４１が前進（矢印Ｘの方向）すると、上記一部１７Ｂが当接しているカム面４１Ａが徐々に低くなって、クランププレート１７が、ばね力で閉じる方向に揺動し、さらに前進してトリガーカム４１が前進限界の位置に移動すると、一部１７Ｂがカム面４１Ａから完全に離れ、クランププレート１７の先端の回転板１９と、ターンテーブル２１とによるディスクのクランプが完了する。それと同時に、クランププレート１７の一部１７Ｂとカム面４１Ａとの係合解除によって、ドライブユニット９が、３つの防振構造体１１を介して完全にフローティング支持される。
また、同時に、ローディングローラ２５の駆動軸２５Ａが、傾斜溝４１Ｂに沿って低い位置に移動し、ローラ支持板２７の揺動により、ローディングローラ２５が低く変位し、このローディングローラ２５が、クランプ時のディスクの下面から離れる。この状態において、ターンテーブル２１を回転させてディスクの再生が行われる。
【００１８】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、クランププレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、クランププレート１７の先端の回転板１９と、ターンテーブル２１との間にディスク挿入用の隙間を形成する。
【００１９】
それと同時に、ローディングローラ２５の駆動軸２５Ａが、傾斜溝４１Ｂに沿って徐々に高い位置に移動し、後退限界の位置では、ローラ支持板２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、図示を省略した機構によりシャーシ３にロックされる。
【００２０】
本構成では、図１に示すように、本体１の右側前面に挿入口２３を開閉するシャッタプレート８０が設けられている。このシャッタプレート８０は、ローラ支持板２７の揺動動作に連動し、ドライブユニット９にディスクがクランプされている場合に挿入口２３を閉じてディスクの二重挿入を防止するものである。
シャッタプレート８０は、このシャッタプレート８０の一端８０Ａが支持ピン（支持部材）８１を介してロアーシャーシ５に回動自在に取り付けられ、ばね８２によって、開く方向（矢印Ｋ１方向）に付勢されている。シャッタプレート８０には、上下方向に延びたスライド孔８０Ｂが形成され、このスライド孔８０Ｂには、ロアーシャーシ５の前面に形成されたガイド部５Ｂが嵌っている。このガイド部５Ｂは、シャッタプレート８０が回動する際に、スライド孔８０Ｂ内を移動して、当該シャッタプレート８０を案内する。また、シャッタプレート８０の他端８０Ｃは、挿入口２３の中央部分に延在し、ロアーシャーシ５の形状に合わせて円弧上に折り曲げられて形成されている。
また、シャッタプレート８０は、このシャッタプレート８０の上縁部から挿入口２３の内側に曲げ形成された係合片８０Ｄを備える。この係合片８０Ｄは、ローラ支持板２７の爪部９１の上方に延在し、このローラ支持板２７が揺動した場合に、上記爪部９１と係合して、シャッタプレート８０を回動させる。
【００２１】
本構成では、シャッタプレート８０は、支持ピン８１を介して回動自在に構成されるとともに、上下方向にスライド可能に構成されている。具体的には、シャッタプレート８０には、上下方向に延びる長孔８０Ｅが形成され、この長孔８０Ｅは支持ピン８１と遊嵌されている。このため、ローラ支持板２７が揺動し、このローラ支持板２７の爪部９１がシャッタプレート８０の係合片８０Ｄと係合した場合、このシャッタプレート８０は、支持ピン８１が長孔８０Ｅの下端部に当接するまで上方にスライド移動する。
これによれば、シャッタプレート８０が支持ピン８１を介して回動するとともに、上下方向にスライドすることにより、シャッタプレートを単に回動させるものに比べて、挿入口の閉鎖面積を大きくとることができ、この挿入口へのディスクの二重挿入が防止されるとともに、当該挿入口への異物の挿入が最小限に抑制される。
さらに、シャッタプレート８０を上下方向にスライドさせることにより、ローラ支持板２７の揺動ストロークを抑制することができ、その分だけ装置が小型化し、この装置の薄型化を図ることができる。
【００２２】
図６は、ディスクが引き込まれる前のシャッタプレート８０の状態を示す斜視図であり、図７は、ディスクが引き込まれた後のシャッタプレート８０の状態を示す斜視図である。この図７では、説明の便宜上、ディスクの図示を省略している。
ディスクが本体１内に引き込まれていない場合には、爪部９１、９２は、図６に示すように、挿入口２３の下面よりも下方に位置する。このため、シャッタプレート８０は、ばね８２の付勢力によって挿入口２３を開放する位置にあり、この挿入口２３にディスクを挿入する場合に、爪部９１、９２及びシャッタプレート８０が、このディスクの挿入を阻害することや、ディスクの記録面に傷をつけることはない。
【００２３】
一方、ディスクが本体１内に引き込まれた場合には、図７に示すように、トリガーカム４１が前進（矢印Ｘの方向）して前進限界の位置に移動すると、ローディングローラ２５の駆動軸２５Ａが傾斜溝４１Ｂに沿って低い位置に移動し、ローラ支持板２７が揺動する。これにより、ローラ支持板２７に形成された爪部９１、９２は挿入口２３の下面よりも上方に突出する。この場合、爪部９１は、シャッタプレート８０の係合片８０Ｄと係合し、この係合片８０Ｄを押し上げる。これにより、シャッタプレート８０は、ばね８２の付勢力に抗して、支持ピン８１が当該シャッタプレート８０の長孔８０Ｅの下端部に当接するまで上方にスライド移動するとともに、この支持ピン８１を中心に挿入口２３を閉鎖する方向（矢印Ｋ２方向）に回動する。
【００２４】
本構成では、ローラ支持板２７の揺動動作に連動して回動し、挿入口２３を閉鎖するシャッタプレート８０を備えるため、ローラ支持板２７を揺動させることによって、ローディングローラ２５をドライブユニット９から離間させる動作と、シャッタプレート８０を挿入口２３を閉鎖する方向に回動させてディスクの二重挿入を防止する動作とを、同時に実行することができる。このため、ディスクの二重挿入を防止するための専用機構が不要となり、従来のものに比べて、その分だけ装置が小型化し、この装置の薄型化を図ることができる。
特に、シャッタプレート８０が閉鎖されると、このシャッタプレート８０の他端８０Ｃが挿入口２３の略中央部に延在するため、ディスクの先端部分でさえ、この挿入口２３内に挿入することができず、ディスクの二重挿入を確実に防止することができる。このため、挿入しようとするディスクの先端部分と、既に挿入されているディスクの外周部分とが接触し、これらディスクの記録面が傷つきことが確実に防止される。
【００２５】
次に、本体１内に引き込まれたディスクをドライブユニット９のクランプ位置に案内する案内する機構について説明する。図８は、クランププレートを下面から見た斜視図であり、図９は、クランププレートを上面から見た斜視図である。
クランププレート１７には、図８に示すように、本体１内に引き込まれたディスクの外周部に当接し、このディスクをクランプ位置に案内する一対のガイドアーム４３、４４が設けられている。これらガイドアーム４３、４４は、クランププレート１７の先端の回転板１９に対しほぼ中心振り分けで配置され、当該ガイドアーム４３、４４の前端には、ディスクに当接する当接部４３Ａ、４４Ａが形成される。ガイドアーム４３、４４の後端には軸受部４３Ｂ、４４Ｂが形成され、これら軸受部４３Ｂ、４４Ｂは、クランププレート１７から下方に延出するピン４５、４６に遊嵌される。また、これらガイドアーム４３、４４は、ばね４７、４８により、閉じる方向（矢印Ａの方向）に付勢されている。また、ガイドアーム４３、４４の上面には、図９に示すように、クランププレート１７に形成されたガイド孔４９、５０（図８）を通じて当該クランププレート１７の上面側に延在するガイドピン４３Ｃ、４４Ｃが設けられている。
【００２６】
本構成では、図１に示すように、挿入されるディスクの外周部に当接して挿入口２３の側方に退避するターンプレート５１と、このターンプレート５１の動作に連動するスライドプレート５２及びセレクタプレート５３とを備える。ターンプレート５１及びスライドプレート５２はアッパーシャーシ７上に配置され、セレクタプレート５３はクランププレート１７上に配置されている。このセレクタプレート５３は、ディスクの挿入に際してターンプレート５１の動作に連動し、ガイドアーム４３、４４のガイドピン４３Ｃ、４４Ｃと係合または離脱することにより、当該ガイドアーム４３、４４の動作を規制する規制部材として機能する。
【００２７】
ターンプレート５１は、上記したシャッタプレート８０が配置されている側と反対の側であるアッパーシャーシ７の左側前部の上面に、ピン５４を介して揺動自在に連結され、ばね５５により閉じる方向に付勢されている。このターンプレート５１には、挿入口２３に臨むゲートピン５６が取り付けられている。また、ターンプレート５１の基部には略Ｊ字型のガイド孔５１Ａが形成され、このガイド孔５１Ａに嵌るピン５７がスライドプレート５２に取り付けられている。このスライドプレート５２には、ディスクの挿入方向（矢印Ｙの方向）に延びた一対のスライド孔５２Ａ、５２Ｂが形成され、このスライド孔５２Ａ、５２Ｂにアッパーシャーシ７の一部を切り起こして、上方に立ち上げたガイド片５８、５９が嵌っている。また、スライドプレート５２の後端５２Ｃは前方に折り返されており、セレクタプレート５３の一端に形成された連結部５３Ａに係合されている。
【００２８】
セレクタプレート５３は、図９に示すように、クランププレート１７の略中央上面に、ピン６０を介して揺動自在に連結され、ばね６１により時計方向に付勢されている。また、セレクタプレート５３には、ピン６１の左右に形成された一対のガイド孔５３Ｂ、５３Ｃと、上記連結部５３Ａ側の一端に形成され、当該セレクタプレート５３の動作範囲を規制するためのスライド孔５３Ｄとが形成されている。上記ガイド孔５３Ｂ、５３Ｃには、クランププレート１７の上方に延出するガイド片６２、６３が嵌り、上記スライド孔５３Ｄには、当該クランププレート１７の上方に延出する規制片６４が嵌っている。
また、セレクタプレート５３には、本体内にディスクが挿入されていない初期状態において、上記ガイドアーム４３、４４のガイドピン４３Ｃ、４４Ｃと係合する係合溝５３Ｅ、５３Ｆが形成されている。この係合溝５３Ｅ、５３Ｆとガイドピン４３Ｃ、４４Ｃとが係合することにより、ガイドアーム４３、４４の動作が規制される。また、係合溝５３Ｅ、５３Ｆは、クランププレート１７の付勢方向（時計方向）側が開放されており、このクランププレート１７が反時計方向に回動すると、ガイドピン４３Ｃ、４４Ｃが係合溝５３Ｅ、５３Ｆから離脱して、ガイドアーム４３、４４の動作が可能となる。
【００２９】
ディスクが挿入口２３に挿入された場合、ディスクは、ターンプレート５１のゲートピン５６を側方に押し退ける。例えば、１２ｃｍ径の大きいディスク１００が挿入されると、図１０に示すように、ディスク１００の外周部１００Ａがゲートピン５６を挿入口２３の側方に押し退け、ターンプレート５１が開く方向（矢印Ｄの方向）に回動する。この回動に伴い、ピン５７が、ガイド孔５１Ａの中を移動し、これにより、ターンプレート５１の揺動に連動し、スライドプレート５２が、ガイド片５８、５９に沿って本体１の前方（矢印Ｘ方向）に移動する。
スライドプレート５２の移動に伴い、このスライドプレート５２に係合されたセレクタプレート５３の連結部５３Ａが前方に引っ張られるため、このセレクタプレート５３は、ばね６１に抗して反時計方向（矢印Ｅ方向）に回動する。この回動により、ガイドアーム４３、４４のガイドピン４３Ｃ、４４Ｃが係合溝５３Ｅ、５３Ｆから離脱するため、当該ガイドピン４３Ｃ、４４Ｃの動作が可能となる。
これによれば、図１１に示すように、ディスク１００の外周部１００Ａがガイドアーム４３、４４の当接部４３Ａ、４４Ａと当接することにより、このガイドアーム４３、４４が徐々に側方（矢印Ｂ方向に）に開き、当該ガイドアーム４３、４４によってディスク１００がクランプ位置に案内される。
【００３０】
図１２は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００がゲートピン５６の側に偏って挿入された場合、ディスク２００の外周部２００Ａがゲートピン５６を挿入口２３の側方に押し退け、ターンプレート５１が開く方向（矢印Ｄの方向）に回動する。このため、上記１２ｃｍ径ディスク１００と同様に、ターンプレート５１の動作に連動して、セレクタプレート５３が回動することにより、ガイドアーム４３、４４のガイドピン４３Ｃ、４４Ｃが係合溝５３Ｅ、５３Ｆから離脱するため、当該ガイドピン４３Ｃ、４４Ｃの動作が可能となる。しかしながら、８ｃｍ径ディスク２００は、１２ｃｍ径ディスクに比べて径が小さいため、この８ｃｍ径ディスク２００をクランプ位置に達するまでに、ターンプレート５１は、ばね５５の付勢力によって初期位置の状態に戻る。このターンプレート５１の動作に連動して、セレクタプレート５３も初期位置に戻るため、ガイドアーム４３、４４のガイドピン４３Ｃ、４４Ｃはセレクタプレート５３の係合溝５３Ｅ、５３Ｆと係合し、当該ガイドアーム４３、４４の動作が規制される。
これによれば、図１３に示すように、ガイドアーム４３、４４は初期状態の位置から動作しないため、ディスク２００の外周部２００Ａがガイドアーム４３、４４の当接部４３Ａ、４４Ａと当接することにより、このディスク２００がクランプ位置に案内される。
【００３１】
次に、１２ｃｍ径のディスクが挿入された場合に、トリガープレート３１の爪部３２をローディング経路から退避させる退避機構２４０について説明する。本構成では、退避機構２４０は、上記セレクタプレート５３及びクランププレート１７を備えて構成されている。このセレクタプレート５３は、上記ガイドアーム４３、４４の規制部材として機能するとともに、トリガープレート３１の爪部３２をローディング経路から退避させる退避機構としても機能する。
上述のように、セレクタプレート５３は、ターンプレート５１の動作に連動してピン６０と中心に回動するようになっている。本構成では、セレクタプレート５３には、図１４に示すように、その後端部５３Ｇから当該セレクタプレート５３の延在方向に沿って延出する片５３Ｈが一体に形成されている。また、トリガープレート３１には、上記セレクタプレート５３の片５３Ｈ上に位置するように、当該トリガープレート３１の前端部から前方に延出する作動片３１Ｃが形成されている。
また、クランププレート１７の上面には、上記作動片３１Ｃの下方に、このクランププレート１７の一部を切り起こした凸部７０が形成されている。この凸部７０は、本体１の後方から前方へ向けて上昇するように傾斜した後、先端部が略水平に形成されている。
【００３２】
１２ｃｍ径のディスクが挿入されると、上述のように、この１２ｃｍ径のディスクの外周部がゲートピンを挿入口の側方に押し退けることにより、ターンプレートが開く方向に回動する。そして、この回動に伴い、スライドプレートがガイド片に沿って本体の前方に移動する。これにより、図１５に示すように、スライドプレートに係合されたセレクタプレート５３の連結部５３Ａが前方に引っ張られるため、このセレクタプレート５３は、ばねに抗して反時計方向（矢印Ｅ方向）に回動する。
そして、セレクタプレート５３の回動に伴い、このセレクタプレート５３の片５３Ｈがクランププレート１７の凸部７０上を移動することにより、この片５３Ｈの位置が上方に移動する。これによれば、図１６に示すように、この片５３Ｈ上に延在するトリガープレート３１の作動片３１Ｃが当該片５３Ｈにより上方に持ち上げるため、このトリガープレート３１の爪部３２をローディング経路ＲＫから退避させることができる。従って、１２ｃｍ径のディスク１００は、上記ローディング経路ＲＫを搬送されてトリガープレート３１の爪部３３に当接してクランプが実行される。
この場合、セレクタプレート５３の片５３Ｈの厚みを調整することにより、上記爪部３２をローディング経路ＲＫから退避させる際のストロークを調整することができる。これによれば、上記爪部３２を確実にローディング経路ＲＫから退避させることが可能となる。
【００３３】
一方、８ｃｍ径のディスクを挿入する場合には、図１４に示すように、セレクタプレート５３は、初期位置の状態にあるため、セレクタプレート５３の片５３Ｈがクランププレート１７の凸部７０上を移動することはなく、トリガープレート３１の爪部３２がローディング経路ＲＫから退避されることはない。従って、図１７に示すように、この爪部３２はローディング経路ＲＫに延在するため、８ｃｍ径のディスク２００は、当該爪部３２に当接することによりクランプが実行される。
【００３４】
本実施形態によれば、揺動自在なローラ支持板２７に支持されたローディングローラ２５を本体１の挿入口２３に配置し、この挿入口２３からドライブユニット９に向けてディスクが引き込まれた場合、この引き込み動作に連動してローラ支持板２７を揺動させて、ローディングローラ２５をドライブユニット９から離間させる構成を備えると共に、当該ローラ支持板２７の揺動動作に連動して、挿入口２３を閉鎖するシャッタプレート８０を備えるため、ローラ支持板２７を揺動させることによって、ローディングローラ２５をドライブユニット９から離間させる動作と、シャッタプレート８０を挿入口２３を閉鎖する方向に回動させてディスクの二重挿入を防止する動作とを、同時に実行することができる。このため、ディスクの二重挿入を防止するための専用機構が不要となり、従来のものに比べて、その分だけ装置が小型化し、この装置の薄型化を図ることができる。
【００３５】
また、本実施形態によれば、シャッタプレート８０は、本体１の前面に支持ピン８１を介して回動自在に設けられるとともに、ローラ支持板２７が揺動した場合に、このローラ支持板２７の前端部に形成された爪部９１と係合して当該シャッタプレート８０を挿入口２３を閉鎖する方向に回動させる係合片８０Ｄを備えるため、簡単な構成によって、シャッタプレート８０をローラ支持板２７の揺動動作に連動させることができる。
【００３６】
また、本実施形態によれば、シャッタプレート８０は、支持ピン８１を介して上下方向にスライド可能な長孔８０Ｅを備えるため、ローラ支持板２７が揺動し、このローラ支持板２７の爪部９１がシャッタプレート８０の係合片８０Ｄと係合した場合、このシャッタプレート８０は、支持ピン８１が長孔８０Ｅの下端部に当接するまで上方にスライド移動する。これによれば、シャッタプレート８０が支持ピン８１を介して回動するとともに、上下方向にスライドすることにより、シャッタプレートを単に回動させるものに比べて、挿入口の閉鎖面積を大きくとることができ、この挿入口へのディスクの二重挿入が防止されるとともに、当該挿入口への異物の挿入が最小限に抑制される。
さらに、シャッタプレート８０を上下方向にスライドさせることにより、ローラ支持板２７の揺動ストロークを抑制することができ、その分だけ装置が小型化し、この装置の薄型化を図ることができる。
【００３７】
また、本実施形態によれば、シャッタプレート８０は、このシャッタプレート８０の他端８０Ｃが挿入口２３の略中央部を閉鎖するように構成されているため、ディスクの先端部分でさえ、この挿入口２３内に挿入することができず、ディスクの二重挿入を確実に防止することができる。このため、挿入しようとするディスクの先端部分と、既に挿入されているディスクの外周部分とが接触し、これらディスクの記録面が傷つくことが確実に防止される。
【００３８】
本実施形態では、シャッタプレート８０を本体１の前面に支持ピン８１を介して回動自在に設けた構成について説明したが、これに限るものではない。例えば、図１８に示すように、ローラ支持板２７の前端部に形成された爪部９１、９２連結され、このローラ支持板２７が揺動した場合に、挿入口２３を閉鎖する方向にスライド可能な構成としても良い。この構成では、シャッタプレート９５は、略円弧状に折り曲げ形成された基部９５Ａと、この基部９５Ａの両端に連なる連結部９５Ｂ、９５Ｃとを備える。これら連結部９５Ｂ、９５Ｃは、挿入口２３の幅方向に略平行に延出し、それぞれの端部には、上記爪部９１、９２と連結される連結孔９６、９７が形成されている。
また、基部９５Ａは、挿入口２３の略中央部分を閉鎖するように配置され、この基部９５Ａの側方には上下方向に延びた一対のスライド孔９８、９９が形成されている。これらスライド孔９８、９９には、ロアーシャーシ５の前面に形成されたガイド部５Ｃ、５Ｄが嵌っている。これらガイド部５Ｃ、５Ｄは、シャッタプレート９５が上下方向にスライドする際に、スライド孔９８、９９内を移動して、当該シャッタプレート９５を案内する。
【００３９】
図１９は、別の実施形態にかかるシャッタプレート９５の閉状態を示す斜視図である。ディスクが本体１内に引き込まれていない場合には、爪部９１、９２は、図１９に示すように、挿入口２３の下面よりも下方に位置する。このため、シャッタプレート９５は挿入口２３を開放する位置にあり、この挿入口２３にディスクを挿入する場合に、爪部９１、９２及びシャッタプレート９５が、このディスクの挿入を阻害することや、ディスクの記録面に傷をつけることはない。
【００４０】
一方、ディスクが本体１内に引き込まれた場合には、図１８に示すように、トリガーカム４１が前進（矢印Ｘの方向）して前進限界の位置に移動すると、ローディングローラ２５の駆動軸２５Ａが傾斜溝４１Ｂに沿って低い位置に移動し、ローラ支持板２７が揺動する。これにより、ローラ支持板２７に形成された爪部９１、９２は挿入口２３の下面よりも上方に突出する。これにより、爪部９１、９２に連結されたシャッタプレート９５は、ガイド部５Ｃ、５Ｄに案内されつつ、挿入口２３を閉鎖する方向（本構成では上方向）にスライド移動する。
【００４１】
この構成においても、ローラ支持板２７の揺動動作に連動してスライド移動し、挿入口２３を閉鎖するシャッタプレート９５を備えるため、ローラ支持板２７を揺動させることによって、ローディングローラ２５をドライブユニット９から離間させる動作と、シャッタプレート９５を挿入口２３を閉鎖する方向にスライドさせてディスクの二重挿入を防止する動作とを、同時に実行することができる。このため、ディスクの二重挿入を防止するための専用機構が不要となり、従来のものに比べて、その分だけ装置が小型化し、この装置の薄型化を図ることができる。
【図面の簡単な説明】
【００４２】
【図１】本発明に係るディスクプレーヤの一実施の形態を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】シャッタプレートの開状態を示す斜視図である。
【図７】シャッタプレートの閉状態を示す斜視図である。
【図８】クランププレートを下面から見た斜視図である。
【図９】クランププレートを上面から見た斜視図である。
【図１０】１２ｃｍ径のディスクを挿入した際のターンプレート及びセレクタプレートの動作を示す斜視図である。
【図１１】１２ｃｍ径のディスクを挿入した際のガイドアームの動作を示す図である。
【図１２】８ｃｍ径のディスクを挿入した際のターンプレート及びセレクタプレートの動作を示す斜視図である。
【図１３】８ｃｍ径のディスクを挿入した際のガイドアームの動作を示す図である。
【図１４】セレクタプレートとトリガープレートとの配置関係を示す斜視図である。
【図１５】セレクタプレートの動作に連動するトリガープレートの動作を示す斜視図である。
【図１６】図１５に対応する部分破断斜視図である。
【図１７】図１４に対応する部分破断斜視図である。
【図１８】別の実施形態にかかるシャッタプレートの開状態を示す斜視図である。
【図１９】別の実施形態にかかるシャッタプレートの閉状態を示す斜視図である。
【符号の説明】
【００４３】
１  本体
３  シャーシ
５  ロアーシャーシ
７  アッパーシャーシ
９  ドライブユニット
１３  ベースプレート
１７  クランププレート
２１  ベースプレート
２３  挿入口
２５  ローディングローラ
２７  ローラ支持板
３１  トリガープレート
４１  トリガーカム
８０、９５  シャッタプレート
８０Ｄ  係合片
８０Ｅ  長孔
８１  支持ピン（支持部材）
９１、９２  爪部
９５Ｂ、９５Ｃ  連結部
１００  ディスク
２００  ディスク
【図１】
2008226321.tif 000003
【図２】
2008226321.tif 000004
【図３】
2008226321.tif 000005
【図４】
2008226321.tif 000006
【図５】
2008226321.tif 000007
【図６】
2008226321.tif 000008
【図７】
2008226321.tif 000009
【図８】
2008226321.tif 000010
【図９】
2008226321.tif 000011
【図１０】
2008226321.tif 000012
【図１１】
2008226321.tif 000013
【図１２】
2008226321.tif 000014
【図１３】
2008226321.tif 000015
【図１４】
2008226321.tif 000016
【図１５】
2008226321.tif 000017
【図１６】
2008226321.tif 000018
【図１７】
2008226321.tif 000019
【図１８】
2008226321.tif 000020
【図１９】
2008226321.tif 000021